(57)【要約】【課題】片手による容易な操作で軸筒から筆記体を静かで滑らかに出没させることができ、操作性と操作感とを両立させた筆記具を提供すること。【解決手段】筆記具１００は、軸筒１０と、軸筒１０に対しその軸線方向ｄａに相対移動可能に当該軸筒１０に支持され、軸筒１０の前端から出没される筆記体２０と、軸筒１０に対しその軸線Ｌ周りに相対回転可能に当該軸筒１０内に配置され、軸線Ｌの周りを螺旋状に延びる溝またはスリット３３ｓが設けられた、回転体３０と、溝またはスリット３３ｓ内を移動する移動部４１を有し、軸筒１０に対し軸線方向ｄａに相対移動可能であるが軸線Ｌ周りの相対回転が規制された、押圧部４０と、を備え、押圧部４０は、軸筒１０に対し、当該軸筒１０の前方に押圧可能である。【選択図】図１
2019119112.tif 000002
【特許請求の範囲】
【請求項１】
軸筒と、
前記軸筒に対しその軸線方向に相対移動可能に当該軸筒に支持され、前記軸筒の前端から出没される筆記体と、
前記軸筒に対しその軸線周りに相対回転可能に当該軸筒内に配置され、前記軸線の周りを螺旋状に延びる溝またはスリットが設けられた、回転体と、
前記溝または前記スリット内を移動する移動部を有し、前記軸筒に対し前記軸線方向に相対移動可能であるが前記軸線周りの相対回転が規制された、押圧部と、を備え、
前記押圧部は、前記軸筒に対し、当該軸筒の外部から押圧可能である、筆記具。
【請求項２】
前記回転体は、前記軸筒の外部から回転操作可能で、
前記回転体を前記軸筒に対し前記軸線周りに相対回転させると、前記押圧部の前記移動部が前記軸筒に対し前記軸線方向に相対移動され、
前記押圧部を前記軸筒に対し前方に押圧すると、前記回転体が前記軸筒に対し前記軸線周りに相対回転される、請求項１に記載の筆記具。
【請求項３】
前記回転体が前記軸筒に対し前記軸線周りに相対回転する際の回転速度を減速させる制動部を更に備えた、請求項１または２に記載の筆記具。
【請求項４】
前記回転体に当接する当接部材と、前記当接部材を前記軸筒に対し前記軸線方向に付勢して前記回転体に押し当てる付勢手段と、を有する制動部を更に備えた、請求項１または２に記載の筆記具。
【請求項５】
前記付勢手段は、前記回転体の前方に配置され、前記当接部材を前記回転体に前方から押し当てる、請求項４に記載の筆記具。
【請求項６】
前記回転体は、互いに対向して延びて前記溝または前記スリットを画成する前壁部及び後壁部を有し、
前記前壁部は、前記溝または前記スリットの前端の近傍に、後方に膨出した膨出部を有する、請求項１乃至５のいずれか一項に記載の筆記具。
【発明の詳細な説明】
【技術分野】
【０００１】
本発明は、筆記具に関する。
【背景技術】
【０００２】
従来、軸筒に対しこの軸筒の軸線周りに頭冠を回転することにより、軸筒の前端の開口部から軸筒内に支持された筆記体を出没させる、回転操作式の筆記具が知られている（特許文献１参照）。このような筆記具は、内部の回転機構の摩擦抵抗を小さくすることで滑らかな出没動作が実現されるため、操作感に優れる。その一方、回転操作式の筆記具は、一般に、片手で軸筒を把持し、残りの手で頭冠を把持して軸筒に対し軸線周りに相対回転させることで筆記体の出没操作を行う。このことから、素早い出没操作を行いにくく出没操作にやや時間を要するため、操作性に改善の余地がある。
【０００３】
他方、例えば軸筒の後端の開口部から外部に突出したノック部材を軸筒に対して前方に押し込むことにより、軸筒の前端の開口部から軸筒内に支持された筆記体を出没させる、ノック式の筆記具も知られている。ノック式の筆記具は、片手で出没操作を行うことができるため機敏な操作を行うことができるが、筆記体が軸筒内に勢いよく没入することで当該筆記体に大きな衝撃が加わってしまったり、ノック操作時にカチカチと音がしたりして、操作感に改善の余地がある。
【先行技術文献】
【特許文献】
【０００４】
【特許文献１】特開２００７−３２０２０９号公報
【発明の概要】
【発明が解決しようとする課題】
【０００５】
本発明は、以上の実情に鑑みて創案されたものである。すなわち、本発明は、操作性と操作感とを両立させた筆記具を提供することを目的とする。
【課題を解決するための手段】
【０００６】
本発明による筆記具は、軸筒と、
前記軸筒に対しその軸線方向に相対移動可能に当該軸筒に支持され、前記軸筒の前端から出没される筆記体と、
前記軸筒に対しその軸線周りに相対回転可能に当該軸筒内に配置され、前記軸線の周りを螺旋状に延びる溝またはスリットが設けられた、回転体と、
前記溝または前記スリット内を移動する移動部を有し、前記軸筒に対し前記軸線方向に相対移動可能であるが前記軸線周りの相対回転が規制された、押圧部と、を備え、
前記押圧部は、前記軸筒に対し、当該軸筒の外部から押圧可能である。
【０００７】
前記回転体は、前記軸筒の外部から回転操作可能で、
前記回転体を前記軸筒に対し前記軸線周りに相対回転させると、前記押圧部の前記移動部が前記軸筒に対し前記軸線方向に相対移動され、
前記押圧部を前記軸筒に対し前方に押圧すると、前記回転体が前記軸筒に対し前記軸線周りに相対回転されるようになっていて良い。
【０００８】
以上の筆記具は、前記回転体が前記軸筒に対し前記軸線周りに相対回転する際の回転速度を減速させる制動部を更に備えていて良い。
【０００９】
あるいは、以上の筆記具は、前記回転体に当接する当接部材と、前記当接部材を前記軸筒に対し前記軸線方向に付勢して前記回転体に押し当てる付勢手段と、を有する制動部を更に備えていて良い。
【００１０】
また、前記付勢手段は、前記回転体の前方に配置され、前記当接部材を前記回転体に前方から押し当てるものであって良い。
【００１１】
以上の筆記具において、前記回転体は、互いに対向して延びて前記溝または前記スリットを画成する前壁部及び後壁部を有し、
前記前壁部は、前記溝または前記スリットの前端の近傍に、後方に膨出した膨出部を有していて良い。
【発明の効果】
【００１２】
本発明によれば、片手による簡易な出没操作と静かで滑らかな出没動作とが実現されるため、操作性と操作感とを両立させた筆記具を提供することができる。
【図面の簡単な説明】
【００１３】
【図１】本発明の一実施の形態による筆記具を示す概略縦断面図である。
【図２】図１の筆記具の中筒を示す概略正面図である。
【図３】図１の筆記具の回転体を示す概略縦断面図である。
【図４】図３の線Ｃに沿って切り開いた、回転体の概略的な展開図である。
【図５Ａ】図３に示す回転体の前壁部の前端近傍を示す拡大図である。
【図５Ｂ】図３に示す回転体の後壁部の前端近傍を示す拡大図である。
【図６Ａ】図１の筆記具の作用を説明するための図であり、筆記体が軸筒内に没入した状態を示している。
【図６Ｂ】図１の筆記具の作用を説明するための図であり、筆記体が軸筒に対し前方に相対移動している状態を示している。
【図６Ｃ】図１の筆記具の作用を説明するための図であり、筆記体が軸筒から突出した状態を示している。
【図６Ｄ】図１の筆記具の作用を説明するための図であり、筆記体が軸筒に対し後方に相対移動している状態を示している。
【図７】図１の変形例による筆記具を示す概略縦断面図であり、筆記体が軸筒内に没入した状態で示されている。
【図８】図１の変形例による筆記具を示す概略縦断面図であり、筆記体が軸筒から突出した状態で示されている。
【発明を実施するための形態】
【００１４】
以下に、添付の図面を参照して本発明の一実施の形態を詳細に説明する。
【００１５】
図１は、本発明の一実施の形態による筆記具１００を示す概略縦断面図である。但し、筆記体２０は側面図で示してある。また、図２は、図１の筆記具１００の中筒１１を示す概略正面図であり、図３は、図１の筆記具１００の回転体３０を示す概略縦断面図であり、図４は、図３の線Ｃに沿って切り開いた、回転体３０の概略的な展開図である。
【００１６】
図１、図３に示すように、筆記具１００は、軸筒１０と、軸筒１０に支持された筆記体２０と、軸筒１０内に配置され軸筒１０の軸線Ｌの周りを螺旋状に延びるスリット３３ｓが設けられた回転体３０と、スリット３３ｓ内を移動する移動部４１を有する押圧部４０と、を有している。図１に示す例では、筆記具１００は万年筆であるが、これには限定されず、他の例では、ボールペン、シャープペンシル、マーカーなど各種の筆記具であって良い。図１に示すように、筆記体２０は、軸筒１０に対しその軸線方向ｄａに相対移動可能に当該軸筒１０に支持されており、ペン先２１が軸筒１０の前端に画定された開口部１０ａから出没されるようになっている。
【００１７】
図１に示すように、軸筒１０は、軸筒本体１３と、この軸筒本体１３の内部に配置された中筒１１とを有している。図２に示すように、中筒１１には、軸線方向ｄａに沿って延びる長孔１２が形成されている。図２は、図１の上方から見た中筒１１を示している。図１に示すように、この長孔１２は、押圧部４０の移動部４１を収容可能な幅を有し、軸線Ｌに関して対称的に設けられている。
【００１８】
図３及び図４に示すように、回転体３０は、軸筒１０に対しその軸線Ｌ周りに相対回転可能に当該軸筒１０内に配置された筒形の部材である。回転体３０は、筒形の回転体本体３３と、互いに対向して延びて２条のスリット３３ｓを画成する前壁部３１及び後壁部３２と、を有している。２条のスリット３３ｓは、互いに１８０°の位相差で、軸線Ｌ（図１参照）の周りを螺旋状に延びている。図４に示すように、各スリット３３ｓは、回転体本体３３の後端３３ｒの近傍から前方（図４における左方）に向かって実質的に均一な傾斜で延びている。
【００１９】
一方、各スリット３３ｓは、回転体本体３３の前端３３ｆの近傍の領域においては、傾斜が変化している。図５Ａは、図３に示す回転体３０のスリット３３ｓの前壁部３１の前端近傍を示す拡大図である。図５Ａに示すように、前壁部３１は、スリット３３ｓの前端３３ｓｆの近傍に、後方（図５Ａにおける右方）に膨出した膨出部３１ｅを有している。図５Ａに示すように、前壁部３１は、膨出部３１ｅにおいて、上方から見た際の接線が軸線方向ｄａに沿って後方に向かうベクトルと常に鋭角（０°＜θ１＜θ２＜９０°）を成す形状を有している。
【００２０】
図５Ｂは、図３に示す回転体３０の後壁部３２の前端近傍を示す拡大図である。図５Ｂに示すように、各スリット３３ｓの後壁部３２には、前端近傍において、前方に膨出した戻り止め部３２ｅが形成されている。後壁部３２は、戻り止め部３２ｅの前後で、上方から見た際の後壁部３２の接線と、軸線方向ｄａに沿って後方に向かうベクトルとの成す角が、鈍角θ３から鋭角θ４に変化する形状を有している。
【００２１】
図１に戻って、筆記体２０は、後端が押圧部４０に当接することによって軸筒１０に対する後方への相対移動が規制されている。この筆記体２０は、コイルバネ５０によって軸筒１０に対し後方に付勢されている。図示されるように、コイルバネ５０は、軸筒本体１３の内面に設けられた軸筒側係止部１５と、この軸筒側係止部１５よりも後方において筆記体２０に設けられた筆記体側係止部２２と、の間に圧縮状態で配置されている。
【００２２】
図１に示すように、押圧部４０は、軸筒１０の後端から外部に延び出ており、軸筒１０の外部から前方に押圧可能となっている。押圧部４０は、中筒１１内において回転体３０を軸線方向ｄａに貫通して配置されており、軸筒１０に対し軸線方向ｄａに相対移動可能となっている。押圧部４０の移動部４１は、回転体３０の２条のスリット３３ｓの双方を径方向に貫通し、両端が中筒１１の長孔１２内に位置付けられている。回転体３０の後端部３５は中筒１１の後端から外部に延び出ており、この後端部３５に、頭冠３４が取り付けられている。頭冠３４は、中筒１１の後端に当接することによって、当該中筒１１に対し前方に相対移動することが規制されている。このことにより、回転体３０は、押圧部４０によって前方に押圧された際にも、軸筒１０（中筒１１）に対し前方に相対移動することが無い。更に、図示されていないが、押圧部４０と回転体３０との間、及び、回転体３０と中筒１１との間には、グリスが塗布されている。
【００２３】
次に以上のような筆記具１００の作用について、図６Ａ〜図６Ｄを参照して説明する。
【００２４】
図６Ａ〜図６Ｄは、図１の筆記具１００の作用を説明するための図であり、図１から筆記体２０、回転体３０、押圧部４０を抜き出し、回転体３０を展開図とし、更に、中筒１１の長孔１２の位置を重ねて示した図である。図６Ａは、筆記体２０が軸筒１０内に没入した状態を示し、図６Ｂは、筆記体２０が軸筒１０に対し前方に相対移動している状態を示し、図６Ｃは、筆記体２０が軸筒１０から突出した状態を示し、図６Ｄは、筆記体２０が軸筒１０に対し後方に相対移動している状態を示している。
【００２５】
ここでは、図６Ａに示すように、筆記体２０のペン先２１が軸筒１０内に完全に没入している状態を初期状態として説明を行う。この初期状態において、押圧部４０の移動部４１は、回転体３０のスリット３３ｓ及び中筒１１の長孔１２のそれぞれの後端に位置している。この状態は、コイルバネ５０によって軸筒１０に対し筆記体２０が後方に付勢されていることにより維持される。
【００２６】
筆記具１００は、図６Ａに示す状態から押圧部４０が軸筒１０に対し前方に力Ｆ（図６Ｂ参照）で押圧されると、移動部４１が回転体３０の前壁部３１を前方に押圧する。この押圧によって、前壁部３１と移動部４１とには、前壁部３１の傾斜に対し直交する方向に互いに逆向きの力が作用する。したがって、これらの力には、軸筒１０の軸線方向ｄａの成分と、軸線方向ｄａと直交する方向の成分とが含まれる。ところで、移動部４１の両端は、中筒１１の長孔１２内に位置付けられているため、当該中筒１１に対し、軸線Ｌ周りに相対回転することが規制されている。このため、図６Ｂに示すように、移動部４１は長孔１２に沿って軸筒１０に対し相対回転することなく、前方に相対移動する。この結果、回転体３０が後方から見て軸筒１０に対し時計回りに相対回転されると共に、筆記体２０がコイルバネ５０を圧縮しつつ軸筒１０に対し前方に相対移動される。なお、回転体３０の軸筒１０に対する相対回転に伴って、頭冠３４も軸筒１０に対し軸線Ｌ周りに相対回転される（図６Ｂ参照）。
【００２７】
押圧部４０を軸筒１０に対し前方に相対移動させるために必要な力は、回転体３０の前壁部３１から移動部４１が受ける反力と、コイルバネ５０による付勢力と、の合力である。押圧部４０の移動部４１が回転体３０の膨出部３１ｅに到達するまでは、当該回転体３０の前壁部３１の傾斜が一定であることから、回転体３０の前壁部３１から移動部４１が受ける反力は、回転体３０と押圧部４０との相対位置関係によらず実質的に一定である。一方、コイルバネ５０による付勢力は、押圧部４０が軸筒１０に対し前方に相対移動するにつれて一定の割合で増大する。以上のことから、押圧部４０を軸筒１０に対し前方に相対移動させるために必要な力は、一定の割合で増大する。
【００２８】
押圧部４０の移動部４１が回転体３０の膨出部３１ｅに到達すると、当該回転体３０の前壁部３１の傾斜は、軸線Ｌに対しより立ち上がった状態になる（図５参照）。このため、移動部４１から回転体３０の前壁部３１に作用する力のうち、当該回転体３０を軸筒１０に対し軸線Ｌ周りに相対回転させるために作用する分力の割合が減少する。換言すれば、回転体３０を軸筒１０に対し軸線Ｌ周りに継続して相対回転させるためには、より大きな押圧力を押圧部４０に対して作用させる必要がある。すなわち、押圧部４０の移動部４１が回転体３０の膨出部３１ｅに到達すると、押圧部４０を押圧している使用者に対し重い操作感が提供される。
【００２９】
そして、押圧部４０の移動部４１が回転体３０の膨出部３１ｅの頂点を乗り越えると、今度は前壁部３１の傾斜が軸線Ｌに対しより寝た状態になる（図５Ａ参照）。このため、移動部４１によって回転体３０の前壁部３１に作用する力のうち、当該回転体３０を軸筒１０に対し軸線Ｌ周りに相対回転させるために作用する分力の割合が増大する。換言すれば、回転体３０を軸筒１０に対し軸線Ｌ周りに引き続き相対回転させるためには、より小さな押圧力を押圧部４０に対して作用させれば足りる。すなわち、押圧部４０の移動部４１が回転体３０の膨出部３１ｅの頂点を乗り越えると、押圧部４０を押圧している使用者に対し軽い操作感が提供される。以上のようにして、押圧部４０の移動部４１がスリット３３ｓの前端３３ｓｆに位置付けられる直前に、使用者に対して節度感（クリック感）が提供される。更に、ここまでの操作において、押圧部４０と回転体３０との間、及び、回転体３０と中筒１１との間に塗布されたグリスの作用によって、静かで滑らかな操作感が提供される。
【００３０】
このクリック感によって、使用者は筆記体２０が軸筒１０に対して最も前方まで相対移動されたことを知覚する。そして、押圧部４０に作用していた押圧力Ｆが解除されると、筆記体２０は、コイルバネ５０の付勢力によって軸筒１０に対し後方に付勢される。これによって、押圧部４０の移動部４１は、軸筒１０に対し後方に相対移動され、回転体３０の後壁部３２に押し当てられる（図６Ｃ参照）。このとき、回転体の戻り止め部３２ｅは、後方から見て、移動部４１よりも軸線Ｌ周りに時計回りに進んだ位置に位置付けられる。前述したように、戻り止め部３２ｅの一部が、軸線方向ｄａに沿って後方に向かうベクトルと鈍角θ３を成しているため（図５Ｂ参照）、コイルバネ５０の付勢力によって移動部４１が回転体３０の後壁部３２を後方に押圧しても、当該回転体３０が軸筒１０に対し軸線Ｌ周りに相対回転されることが無い。
【００３１】
以上の操作によって、筆記体２０を軸筒１０の前端から露出させる操作が完了する。そして、使用者によって軸筒１０が把持され、紙面に対してペン先２１を当接させつつ軸筒１０が所望に移動されて筆記が行われる。
【００３２】
筆記が完了すると、使用者によって、軸筒１０に対し、頭冠３４が後方から見て反時計回りに相対回転される。このとき、頭冠３４と共に回転体３０が軸筒１０に対し軸線Ｌ周りに相対回転され、回転体３０の戻り止め部３２ｅが押圧部４０の移動部４１を軸筒１０に対し前方に押圧する。これにより、筆記体２０がコイルバネ５０を圧縮させつつ、移動部４１が戻り止め部３２ｅを乗り越える。移動部４１が戻り止め部３２ｅを乗り越えた後は、コイルバネ５０の付勢力を原動力として、筆記体２０が軸筒１０に対し後方に相対移動され、筆記体２０に当接した押圧部４０が軸筒１０に対し後方に相対移動される。このため、使用者が頭冠３４を引き続き反時計回りに相対回転させる必要は無い。この押圧部４０の軸筒１０に対する相対移動の際、移動部４１が回転体３０を軸筒１０に対し後方から見て反時計回りに相対回転させつつ、中筒１１の長孔１２に沿って軸筒１０に対し後方に相対移動する（図６Ｄ参照）。この相対移動は、移動部４１がスリット３３ｓの後端３３ｓｒに到達するまで継続され、これにより図６Ａに示す初期状態が復元される。ここでの押圧部４０の軸筒１０に対する後方への相対移動においても、グリスの作用によって静かで滑らかな操作感が提供され得る。
【００３３】
なお、筆記具１００は、頭冠３４を軸筒１０に対し軸線Ｌ周りに相対回転させることによっても、筆記体２０のペン先２１を軸筒１０から突出させることができる。この場合、図６Ａに示す初期状態において、後方から見て、頭冠３４を軸筒１０に対し軸線Ｌに関し時計回りに相対回転させると、移動部４１は、回転体３０の後壁部３２から受ける力によって中筒１１の長孔１２内を前方に移動する。このことによって、筆記体２０は、コイルバネ５０を圧縮させつつ軸筒１０に対し前方に相対移動し、ペン先２１が軸筒１０から次第に露出される。このように、頭冠３４の回転操作によって筆記体２０を軸筒１０の前端から露出させる場合は、回転体３０の後壁部３２が移動部４１を押圧する。したがって、ここでは、上述した押圧部４０の押圧操作の場合と異なり、回転体３０の前壁部３１と移動部４１との相互作用は生じない。
【００３４】
そして、押圧部４０の移動部４１が回転体３０のスリット３３ｓの前端３３ｓｆに到達する直前に、当該移動部４１は、戻り止め部３２ｅを乗り越える。これによって、前述したように、コイルバネ５０の付勢力によって移動部４１が回転体３０の後壁部３２を後方に押圧しても、当該移動部４１が軸筒１０に対して後方に相対移動してしまうことが無い。すなわち、筆記体２０のペン先２１が軸筒１０から露出した状態が安定して維持される。筆記が終了し、筆記体２０のペン先２１を軸筒１０内に没入させる際には、図６Ｃ及び図６Ｄを参照して説明した手順と同じであるため、ここではその説明は省略する。
【００３５】
以上のような筆記具１００によれば、押圧部４０を軸筒１０に対し前方に押圧することによって、回転体３０が軸筒１０に対し軸線Ｌ周りに滑らかに相対回転しつつ筆記体２０のペン先２１が軸筒１０から露出される。すなわち、本発明によれば、片手による簡単な操作で軸筒１０から筆記体２０を静かで滑らかに出没させることができるため、操作性と操作感とを両立させた筆記具１００を提供することができる。
【００３６】
また、回転体３０は、頭冠３４を介して軸筒１０の外部から回転操作可能で、回転体３０を軸筒１０に対し軸線Ｌ周りに相対回転させると、押圧部４０の移動部４１が軸筒１０に対し軸線方向ｄａに相対移動され、押圧部４０を軸筒１０に対し前方に押圧すると、回転体３０が軸筒１０に対し軸線Ｌ周りに相対回転される。このことにより、押圧部４０の軸筒１０に対する前方への押圧操作によっても、頭冠３４を介した回転体３０の軸線Ｌ周りの回転操作によっても、筆記体２０のペン先２１を軸筒１０から露出させることができる。
【００３７】
更に、回転体３０は、互いに対向して延びてスリット３３ｓを画成する前壁部３１及び後壁部３２を有し、前壁部３１は、スリット３３ｓの前端３３ｓｆの近傍に、後方に膨出した膨出部３１ｅを有している。このことにより、押圧部４０を軸筒１０に対し前方に押し込んで筆記体２０のペン先２１を軸筒１０から露出させる操作が完了する際、使用者に対し適度なクリック感が提供される。
【００３８】
次に、図１の筆記具１００の変形例について説明する。
【００３９】
図７及び図８は、図１の変形例による筆記具２００を示す概略縦断面図である。図７は、筆記体２０が軸筒１０内に没入した状態を示しており、図８は、筆記体２０が軸筒１０から突出した状態を示している。
【００４０】
図７に示すように、筆記具２００は、回転体３０が軸筒１０に対し軸線Ｌ周りに相対回転する際の回転速度を減速させる制動部２６０を更に備えている点で、図１に示す筆記具１００とは異なっている。この制動部２６０は、回転体３０に当接する当接部材２６２と、この当接部材２６２を軸筒１０に対し軸線方向ｄａに付勢して回転体３０に押し当てる付勢手段２６１と、を有している。当接部材２６２は、軸筒１０に対し軸線Ｌ周りの相対回転が規制されている。図７に示す例では、付勢手段２６１は、軸筒１０（軸筒本体１３）と当接部材２６２との間に圧縮状態で配置されている。すなわち、付勢手段２６１は、回転体３０の前方に配置され、当接部材２６２を回転体３０に前方から押し当てている。この他の構成は図１に示す筆記具１００と実質的に同様である。このため、図７及び図８において、図１の筆記具１００と共通する構成要素には同じ符号を付し、その詳細な説明は省略する。
【００４１】
以上のような筆記具２００において、筆記体２０を軸筒１０から出没させる主な動作については、図６Ａ〜図６Ｄを参照して説明した筆記具１００の動作と共通している。但し、筆記具２００では、回転体３０と当接部材２６２との接触部分に作用する摩擦力によって、回転体３０の軸筒１０に対する軸線Ｌ周りの相対回転の回転速度が減速される。すなわち、筆記具２００による筆記が完了し、使用者によって、軸筒１０に対し、頭冠３４が後方から見て反時計回りに相対回転されると、この相対回転に伴って、回転体３０が軸筒１０に対し軸線Ｌ周りに相対回転される。そして、押圧部４０の移動部４１が回転体３０の戻り止め部３２ｅを乗り越えると、前述したように、コイルバネ５０の付勢力により、筆記体２０が軸筒１０に対し後方に相対移動させられるため、筆記体２０に当接した押圧部４０が回転体３０を軸筒１０に対し軸線Ｌ周りに相対回転させつつ軸筒１０に対し後方に相対移動する。この相対移動の際、制動部２６０の存在によって、回転体３０及び回転体３０の後端部３５に取り付けられた頭冠３４が比較的ゆっくりと軸筒１０に対し軸線Ｌ周りに相対回転するため、押圧部４０は、比較的ゆっくりと図７に示す初期状態に戻る。
【００４２】
以上のような筆記具２００によれば、筆記具１００と同様の効果が達成されることに加え、制動部２６０の存在によって、筆記体２０を軸筒１０から出没させる際に、筆記具１００と比較してより静かでより滑らかな操作感が提供される。更には、筆記体２０を軸筒１０から出没させる際、とりわけ筆記体２０を軸筒１０内に没入させ移動部４１とスリット３３ｓの後端３３ｓｒとが当接する際、筆記体に強い衝撃が加わることが効果的に抑制されるため、ペン先２１からインキが飛散してしまうおそれが低減される。
【００４３】
また、筆記体２０を軸筒１０内に没入させる際に、軸筒１０の前方で行われるペン先２１の没入動作に対応して、軸筒１０の後端では押圧部４０の突出動作が行われる。この突出動作は、制動部６０の存在によって緩やかな速度で行われ、且つそれに伴い軸筒１０の後方に配設された頭冠３４もゆっくりと回転する。これらのことから、その両部材の動作が視覚的に認識し易くなり、機能的な特徴を使用者が容易に感じ取ることができる。更に、軸筒１０から露出する頭冠３４の外周面にローレット加工やダイヤカット加工を施しても良い。この場合、頭冠３４の動作時（回転時）に頭冠３４が様々な方向に光を反射することにより装飾的な効果が得られると共に、当該加工が頭冠３４の滑り止めとしても機能するため回転操作が行い易くなる。更に、長年の使用によって押圧部４０と回転体３０との間、及び、回転体３０と中筒１１との間に塗布されたグリスが劣化してしまった場合でも、静かで滑らかな操作感を維持することができる。また、グリスが塗布されていない場合でも、筆記具１００と比較してより静かでより滑らかな操作感が提供され得る。
【００４４】
また、制動部２６０は、回転体３０に当接する当接部材２６２と、当接部材２６２を軸筒１０に対し軸線方向ｄａに付勢して回転体３０に押し当てる付勢手段２６１と、を有している。このことにより、当接部材２６２が一定の押圧力で回転体３０に押し当てられるため、当該回転体３０に対し一定の摩擦力を安定して作用させることができる。
【００４５】
更に、筆記具２００では、付勢手段２６１が回転体３０の前方に配置され、当接部材２６２を回転体３０に前方から押し当てているため、回転体３０の後方よりも前方の方が制動部２６０のためのスペースを確保しやすく、制動部２６０の設計の自由度が高い。すなわち、回転体３０に作用させる摩擦力を決定付ける当接部材２６２の材質及び付勢手段２６１のバネ定数を、所望に設定することが容易である。
【００４６】
なお、制動部２６０は、回転体３０の後方に配置されても良い。すなわち、付勢手段２６１が回転体３０の後方に配置され、当接部材２６２を回転体３０の後方から押し当てても、同様の効果を達成することができる。また、制動部２６０は回転体３０の側方に配置されても良い。すなわち、付勢手段２６１が回転体３０の側方に配置され、当接部材２６２を回転体３０の側方から押し当てても良い。更に、制動部２６０は、付勢部材２６１と当接部材２６２との組合せには限定されない。例えば、制動部材としてゴムやエラストマ製のＯリングなど所望の摩擦力を提供する部材が採用されて、これを軸筒１０と回転体３０との間隙に配置しても良い。
【００４７】
また、以上の説明では、筆記具１００、２００として、回転体３０の前壁部３１及び後壁部３２によりスリット３３ｓが画成されている例を示したが、移動部４１を案内することができれば、スリット３３ｓに代えて溝などが画成されていても良い。この場合も、回転体３０は押圧部４０の移動部４１によって軸筒１０に対し軸線Ｌ周りに好適に相対回転され得る。
【００４８】
また、以上の説明では、押圧部４０として軸筒１０の後端から後方に突出した例を示したが、他の例としては、軸筒１０（中筒１１）の側面に設けたクリップ（不図示）を押圧部として機能させる、いわゆるクリップスライド式に構成されても良い。あるいは、筆記具は、軸筒１０の側面に当該軸筒１０の径方向に押圧可能な操作部が設けられた、いわゆるサイドノック式に構成されても良い。この場合、この操作部の軸筒１０の径方向への押し込み力を軸筒１０の軸線方向ｄａの力に変換する適宜の機構が採用されることになる。
【符号の説明】
【００４９】
１０  軸筒
１０ａ  開口部
１１  中筒
１２  長孔
１３  軸筒本体
１５  軸筒側係止部
２０  筆記体
２１  ペン先
２２  筆記体側係止部
３０  回転体
３１  前壁部
３１ｅ  膨出部
３２  後壁部
３２ｅ  戻り止め部
３３  回転体本体
３３ｆ  回転体本体の前端
３３ｒ  回転体本体の後端
３３ｓ  スリット
３３ｓｆ  スリットの前端
３３ｓｒ  スリットの後端
３４  頭冠
３５  後端部
４０  押圧部
４１  移動部
５０  コイルバネ
１００  筆記具
２００  筆記具
２６０  制動部
２６１  付勢手段
２６２  当接部材
【図１】
2019119112.tif 000003
【図２】
2019119112.tif 000004
【図３】
2019119112.tif 000005
【図４】
2019119112.tif 000006
【図５Ａ】
2019119112.tif 000007
【図５Ｂ】
2019119112.tif 000008
【図６Ａ】
2019119112.tif 000009
【図６Ｂ】
2019119112.tif 000010
【図６Ｃ】
2019119112.tif 000011
【図６Ｄ】
2019119112.tif 000012
【図７】
2019119112.tif 000013
【図８】
2019119112.tif 000014